【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】
ＰＴＰ  ＬＡＲを含む、疾病または疾患を治療するための医薬組成物。
【請求項２】
前記疾病または疾患が，上皮細胞移動により特徴づけられる，請求項１記載の医薬組成物。
【請求項３】
前記疾病または疾患が，β−カテニンのチロシンリン酸化の増加により特徴づけられる，請求項１記載の医薬組成物。
【請求項４】
前記疾病または疾患が，フリーのβ−カテニンのプールのレベルの増加により特徴づけられる，請求項１記載の医薬組成物。
【請求項５】
前記疾病または疾患が，癌，転移，および異常な創傷治癒からなる群より選択される，請求項１記載の医薬組成物。
【請求項６】
前記患者が哺乳動物である，請求項１記載の医薬組成物。
【請求項７】
前記哺乳動物がヒトである，請求項６記載の医薬組成物。
【請求項８】
前記ＰＴＰ  ＬＡＲが組換え蛋白質として提供される，請求項１記載の医薬組成物。
【請求項９】
前記ＰＴＰ  ＬＡＲが組換え遺伝子として提供される，請求項１記載の医薬組成物。
【請求項１０】
前記ＰＴＰ  ＬＡＲが組換え細胞として提供される，請求項１記載の医薬組成物。
【請求項１１】
前記ＰＴＰ  ＬＡＲが，上皮細胞移動をインビトロでまたはインビボで調節する，請求項１記載の医薬組成物。
【請求項１２】
前記ＰＴＰ  ＬＡＲが上皮細胞移動をインビトロでまたはインビボで阻害する，請求項１１記載の医薬組成物。
【請求項１３】
前記ＰＴＰ  ＬＡＲが，β−カテニンのチロシンリン酸化をインビトロでまたはインビボで調節する，請求項１記載の医薬組成物。
【請求項１４】
前記ＰＴＰ  ＬＡＲが，β−カテニンのチロシンリン酸化をインビトロでまたはインビボで阻害する，請求項１３記載の医薬組成物。
【請求項１５】
前記ＰＴＰ  ＬＡＲが，β−カテニンのフリープールをインビトロでまたはインビボで調節する，請求項１記載の医薬組成物。
【請求項１６】
前記ＰＴＰ  ＬＡＲが，β−カテニンのフリープールのレベルをインビトロでまたはインビボで低下させる，請求項１５記載の医薬組成物。
【請求項１７】
試料中のＰＴＰ  ＬＡＲを疾病または疾患の予知の道具として検出する方法であって，
（ａ）前記試料を，ハイブリダイゼーションアッセイ条件下でＰＴＰ  ＬＡＲの核酸標的領域にハイブリダイズする核酸プローブと接触させ，前記プローブは，前記ＰＴＰ  ＬＡＲをコードする核酸配列，そのフラグメント，または前記配列またはフラグメントの相補体を含み；そして
（ｂ）プローブ−標的領域ハイブリッドの存在または量を前記疾病または疾患の前記予知の指標として検出する，
の各工程を含む方法。
【請求項１８】
前記疾病または疾患が，異常な創傷治癒，癌，および転移からなる群より選択される，請求項１７記載の方法。
【請求項１９】
試料中のＰＴＰ  ＬＡＲを，疾病または疾患の予知の道具として検出する方法であって，（ａ）試料中の前記ＰＴＰ  ＬＡＲをコードする核酸標的領域を前記ＰＴＰ  ＬＡＲをコードする対照核酸標的領域と比較し；そして（ｂ）前記標的領域と前記対照標的領域との間の配列または量の相違を前記疾病または疾患の前記予知の指標として検出する，の各工程を含む方法。
【請求項２０】
前記疾病または疾患が，異常な創傷治癒，癌，および転移からなる群より選択される，請求項１９記載の方法。
【請求項２１】
試料中のＰＴＰ  ＬＡＲを疾病または疾患の予知の道具として検出する方法であって，
（ａ）前記試料を，ハイブリダイゼーションアッセイ条件下でＰＴＰ  ＬＡＲのアミノ酸標的領域にハイブリダイズする抗体と接触させ，そして
（ｂ）抗体：標的領域複合体の存在または量を前記疾病または疾患の前記予知の指標として検出する，
の各工程を含む方法。
【請求項２２】
前記抗体が，ポリクローナル抗体およびモノクローナル抗体からなる群より選択される，請求項２１記載の方法。
【請求項２３】
前記抗体がハイブリドーマから得られる，請求項２１記載の方法。
【請求項２４】
前記疾病または疾患が，異常な創傷治癒，癌，および転移からなる群より選択される，請求項２１記載の方法。
【請求項２５】
試料中のＰＴＰ  ＬＡＲを疾病または疾患の予知の道具として検出する方法であって，ＰＴＰ  ＬＡＲの存在または量を前記疾病または疾患の前記予知の指標として検出することを特徴とする方法。
【請求項２６】
前記疾病または疾患が，異常な創傷治癒，癌，および転移からなる群より選択される，請求項２５記載の方法。
【請求項２７】
上皮細胞移動を調節する１またはそれ以上の化合物を同定する方法であって，
（ａ）チロシンリン酸化β−カテニンを１またはそれ以上の可能性のある化合物と接触させ；
（ｂ）前記チロシンリン酸化β−カテニンのリン酸化レベルの変化をモニターして，前記上皮細胞移動を調節する前記１またはそれ以上の化合物を同定する，
の各工程を含む方法。
【請求項２８】
前記１またはそれ以上の化合物が，インドリノン，キナゾリン，キノキサリン，およびチロホスチンからなる群より選択される，請求項２７記載の方法。
【請求項２９】
ＰＴＰ  ＬＡＲ活性を調節する１またはそれ以上の化合物を同定する方法であって，
（ａ）ＰＴＰ  ＬＡＲを１またはそれ以上の可能性のある化合物と接触させ；
（ｂ）前記ＰＴＰ  ＬＡＲの活性を測定し；そして
（ｃ）前記１またはそれ以上の可能性のある化合物が前記ＰＴＰ  ＬＡＲの活性を調節するか否かを判定する，
の各工程を含む方法。
【請求項３０】
前記活性がホスホチロシンホスファターゼ活性である，請求項２９記載の方法。
【請求項３１】
天然の結合パートナーを工程（ａ）に加えることをさらに含む，請求項２９記載の方法。
【請求項３２】
前記天然の結合パートナーが，β−カテニンおよびプラコグロビンからなる群より選択される，請求項３１記載の方法。
【請求項３３】
前記１またはそれ以上の化合物が，インドリノン，キナゾリン，キノキサリン，およびチロホスチンからなる群より選択される，請求項２９記載の方法。
【請求項３４】
細胞においてＰＴＰ  ＬＡＲ活性を調節する１またはそれ以上の化合物を同定する方法であって：
（ａ）ＰＴＰ  ＬＡＲを前記細胞中で発現させ；
（ｂ）前記細胞を１またはそれ以上の可能性のある化合物と接触させ；そして
（ｃ）細胞移動または前記ＰＴＰ  ＬＡＲと天然の結合パートナーとの間の相互作用の変化をモニターして，前記ＰＴＰ  ＬＡＲ活性を調節する前記１またはそれ以上の化合物を同定する，
の各工程を含む方法。
【請求項３５】
前記天然の結合パートナーが，β−カテニン，およびプラコグロビンからなる群より選択される，請求項３４記載の方法。
【請求項３６】
前記１またはそれ以上の化合物が，インドリノン，キナゾリン，キノキサリン，およびチロホスチンからなる群より選択される，請求項３４記載の方法。
【請求項３７】
上皮細胞移動により特徴づけられる疾病または疾患を治療するための医薬組成物であって，１またはそれ以上の化合物を含み，ここで，前記１またはそれ以上の化合物は，請求項２７−３６のいずれかに記載の方法により同定されることを特徴とする医薬組成物。
【請求項３８】
前記疾病または疾患が，癌，転移，および異常な創傷治癒からなる群より選択される，請求項３７記載の医薬組成物。
【請求項３９】
前記患者が哺乳動物である，請求項３７記載の医薬組成物。
【請求項４０】
前記哺乳動物がヒトである，請求項３９記載の医薬組成物。
【請求項４１】
上皮細胞移動により特徴づけられる疾病または疾患を治療するための医薬組成物であって，薬学的に許容しうる組成物中の１またはそれ以上の化合物を含み，ここで，前記１またはそれ以上の化合物は前記上皮細胞移動を調節することを特徴とする医薬組成物。
【請求項４２】
前記疾病または疾患が，癌，転移，および異常な創傷治癒からなる群より選択される，請求項４１記載の医薬組成物。
【請求項４３】
前記患者が哺乳動物である，請求項４１記載の医薬組成物。
【請求項４４】
前記哺乳動物がヒトである，請求項４３記載の医薬組成物。
【請求項４５】
前記１またはそれ以上の化合物が前記上皮細胞移動をインビトロで調節する，請求項４１記載の医薬組成物。
【請求項４６】
前記１またはそれ以上の化合物が前記上皮細胞移動をインビトロで阻害する，請求項４５記載の医薬組成物。
【請求項４７】
前記１またはそれ以上の化合物が，β−カテニンのチロシンリン酸化をインビトロで調節する，請求項４１記載の医薬組成物。
【請求項４８】
前記１またはそれ以上の化合物が，β−カテニンのチロシンリン酸化を阻害する，請求項４７記載の医薬組成物。
【請求項４９】
前記１またはそれ以上の化合物が，インビトロでβ−カテニンフリープールのレベルを調節する，請求項４１記載の医薬組成物。
【請求項５０】
前記１またはそれ以上の化合物がインビトロでβ−カテニンフリープールのレベルを低下させる，請求項４９記載の医薬組成物。
【請求項５１】
前記１またはそれ以上の化合物が，キナゾリン，インドリノン，キノキサリン，およびチロホスチンからなる群より選択される，請求項４１記載の医薬組成物。